(57)【特許請求の範囲】
【請求項１】
ノイズを含む媒体を通して、多重チャネル・テレビジョン・サウンド規格に従って、前記テレビジョン信号に含まれるモノラル、ステレオおよびサラウンド・サウンド情報を送るための装置であって、
調整したＬ−Ｒ信号を発生するために、前記Ｌ−Ｒ信号をプリエンファシスし、圧伸するために、テレビジョン信号のＬ−Ｒ信号部分を受信するために接続しているサラウンド・サウンド調整装置と、
振幅変調されたＬ−Ｒ信号を発生するために、所定の数値で調整したＬ−Ｒ信号を切り換えるために、前記サラウンド・サウンド調整装置に接続しているミキサと、
合成出力信号を発生するために、混合したＬ−Ｒ信号が、前記テレビジョン信号のＬ＋Ｒ信号部分と結合される場合に、基準値に従って所定の数値を維持するために前記ミキサに接続している同期回路とを備え、
前記サラウンド・サウンド調整装置が、さらに、
前記Ｌ−Ｒ信号に含まれる高い方の周波数のエネルギー・レベルを増大するために、前記Ｌ−Ｒ信号を受信するために接続しているプリエンファシス装置と、
信号対雑音比を低減するために、前記プリエンファシスしたＬ−Ｒ信号の振幅を圧縮するために前記プリエンファシス装置の出力に接続している圧伸装置と、
濾過Ｌ−Ｒ信号を発生するために、前記プリエンファシスされたＬ−Ｒ信号のノイズを除去するために前記圧伸装置の出力に接続しているフィルタ・ネットワークと、
前記濾過Ｌ−Ｒ信号を増幅するために、前記フィルタ・ネットワークの出力に接続しているアンプと、
前記濾過Ｌ−Ｒ信号を基準値および所定の数値のところで捕捉するために、前記アンプの出力に接続しているクランプ・フィルタと、
前記濾過Ｌ−Ｒ信号の電圧スパイクを除去し、前記濾過Ｌ−Ｒ信号のピークピーク電圧の数値を所定のピークピーク値に低減するために、前記アンプの前記出力に接続しているダイオード回路とを備える装置。
【請求項２】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために、前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために前記サラウンド・サウンド調節装置に接続しているミキサと、
合成出力信号を発生するために、前記混合したＬ−Ｒ信号が、前記テレビジョン信号のＬ＋Ｒ信号部分と結合される場合に、基準値に従って所定の数値を維持するために前記ミキサに接続している同期回路とを備え、
前記ミキサが、
前記振幅変調されたＬ−Ｒ信号を発生するために、所定の数値で前記Ｌ−Ｒ信号を切り換えるために、前記同期回路および前記サラウンド・サウンド調整装置に接続しているバランス変調器と、
前記振幅変調されたＬ−Ｒ信号を基準調整でパイロット信号に結合するために、前記バランス変調器と前記同期回路とに接続している結合アンプとを備える装置。
【請求項３】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために、前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために、前記サラウンド・サウンド調節装置に接続しているミキサと、
合成出力信号を発生するために、前記混合したＬ−Ｒ信号が、前記テレビジョン信号のＬ＋Ｒ信号部分と結合される場合に、基準値に従って所定の数値を維持するために前記ミキサに接続している同期回路とを備え、
前記ミキサが、
前記振幅変調されたＬ−Ｒ信号を発生するために、所定の数値で前記Ｌ−Ｒ信号を切り換えるために、前記同期回路および前記サラウンド・サウンド調整装置に接続しているバランス変調器と、
前記振幅変調されたＬ−Ｒ信号を基準調整でパイロット信号に結合するために、前記バランス変調器と前記同期回路とに接続している結合アンプとを備え、前記同期回路が、さらに、
前記テレビジョン信号のビデオ信号からクロマ情報を受信し、除去し、それにより発光ビデオ・パターン信号を発生するためのビデオ・ストリップ・マトリックスと、
前記バランス変調器、前記結合アンプおよびビデオ・ストリップ・マトリックスの出力に接続していて、所定の数値および基準値を発生するために発光ビデオ・パターン信号を受信するタイミング回路とを備える装置。
【請求項４】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために前記サラウンド・サウンド調節装置に接続しているミキサと、
合成出力信号を発生するために、前記混合したＬ−Ｒ信号が、前記テレビジョン信号のＬ＋Ｒ信号部分と結合される場合に、基準値に従って所定の数値を維持するために前記ミキサに接続している同期回路とを備え、
前記ミキサが、
前記振幅変調されたＬ−Ｒ信号を発生するために、所定の数値で前記Ｌ−Ｒ信号を切り換えるために、前記同期回路および前記サラウンド・サウンド調整装置に接続しているバランス変調器と、
前記振幅変調されたＬ−Ｒ信号を、前記基準調整で、パイロット信号に結合するために、前記バランス変調器と前記同期回路とに接続している結合アンプとを備え、
前記同期回路が、さらに、
前記テレビジョン信号のビデオ信号からクロマ情報を受信し、除去し、それにより発光ビデオ・パターン信号を発生するためのビデオ・ストリップ・マトリックスと、
前記バランス変調器、前記結合アンプおよびビデオ・ストリップ・マトリックスの出力に接続していて、所定の数値および基準値を発生するために前記発光ビデオ・パターン信号を受信するタイミング回路とを備え、
前記タイミング回路が、
所定の数値を発生するために前記ビデオ・ストリッパ・マトリックスの出力に接続している位相ロック・ループと、
前記位相ロック・ループが前記所定の数値を前記基準値と同期させる場合に、前記基準値を発生するために前記位相ロック・ループに接続しているＪＫフリップフロッブとを備える装置。
【請求項５】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために、前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために前記サラウンド・サウンド調節装置に接続しているミキサと、
合成出力信号を発生するために、混合したＬ−Ｒ信号が、前記テレビジョン信号のＬ＋Ｒ信号部分と結合される場合に、基準値に従って所定の数値を維持するために前記ミキサに接続している同期回路と、
前記Ｌ−Ｒ信号およびＬ＋Ｒ信号を発生するために、前記テレビジョン信号の左のオーディオ入力信号と、右のオーディオ入力信号を受信するためのオーディオ・ブレークアウト・マトリックスとを備え、
前記オーディオ・ブレークアウト・マトリックスが、
前記Ｌ−Ｒ信号およびＬ＋Ｒ信号を発生するために、前記左のオーディオ入力信号と、右のオーディオ入力信号を受信するために接続している抵抗ネットワークと、
前記Ｌ−Ｒ信号の信号レベルを回復するために前記抵抗ネットワークの第一の出力に接続している第一のアンプと、
前記Ｌ＋Ｒ信号の信号レベルを回復するために前記抵抗ネットワークの第二の出力に接続している第二のアンプとを備える装置。
【請求項６】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために、前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために前記サラウンド・サウンド調節装置に接続しているミキサと、
合成出力信号を発生するために、混合したＬ−Ｒ信号が、前記テレビジョン信号のＬ＋Ｒ信号部分と結合される場合に、基準値に従って前記所定の数値を維持するために前記ミキサに接続している同期回路と、
前記Ｌ−Ｒ信号およびＬ＋Ｒ信号を発生するために、前記テレビジョン信号の左のオーディオ入力信号と、右のオーディオ入力信号を受信するためのオーディオ・ブレークアウト・マトリックスと、
前記基準値および前記所定の数値で、前記Ｌ＋Ｒ信号を捕捉するために、前記第二のアンプに接続している低域クランプ・フィルタとを備え、
前記オーディオ・ブレークアウト・マトリックスが、
前記Ｌ−Ｒ信号およびＬ＋Ｒ信号を発生するために、前記左のオーディオ入力信号と、前記右のオーディオ入力信号を受信するために接続している抵抗ネットワークと、
前記Ｌ−Ｒ信号の信号レベルを回復するために前記抵抗ネットワークの第一の出力に接続している第一のアンプと、
前記Ｌ＋Ｒ信号の信号レベルを回復するために前記抵抗ネットワークの第二の出力に接続している第二のアンプとを備える装置。
【請求項７】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために、前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために前記サラウンド・サウンド調節装置に接続しているミキサと、
合成出力信号を発生するために、前記混合したＬ−Ｒ信号が、前記テレビジョン信号のＬ＋Ｒ信号部分と結合される場合に、基準値に従って前記所定の数値を維持するために前記ミキサに接続している同期回路と、
前記Ｌ−Ｒ信号およびＬ＋Ｒ信号を発生するために、前記テレビジョン信号の左のオーディオ入力信号と、右のオーディオ入力信号を受信するためのオーディオ・ブレークアウト・マトリックスと、
前記基準値および前記所定の数値で、前記Ｌ＋Ｒ信号を捕捉するために前記第二のアンプに接続している低域クランプ・フィルタと、
前記混合したＬ−Ｒ信号を前記Ｌ＋Ｒ信号に結合するために前記低域クランプ・フィルタに接続しているアンプ回路とを備え、
前記オーディオ・ブレークアウト・マトリックスが、
前記Ｌ−Ｒ信号およびＬ＋Ｒ信号を発生するために、前記左のオーディオ入力信号と、前記右のオーディオ入力信号を受信するために接続している抵抗ネットワークと、
前記Ｌ−Ｒ信号の信号レベルを回復するために前記抵抗ネットワークの第一の出力に接続している第一のアンプと、
前記Ｌ＋Ｒ信号の信号レベルを回復するために前記抵抗ネットワークの第二の出力に接続している第二のアンプとを備える装置。
【請求項８】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
調節済みＬ−Ｒ信号を発生するために、前記Ｌ−Ｒ信号をプリエンファシスし、圧伸するために、前記テレビジョン信号のＬ−Ｒ信号部分を受信するために接続しているサラウンド・サウンド調節装置と、
振幅変調されたＬ−Ｒ信号を発生するために、所定の数値で、前記節済みのＬ−Ｒ信号を切り換えるために前記サラウンド・サウンド調節装置に接続しているミキサと、
合成出力信号を発生するために、前記混合したＬ−Ｒ信号が、前記テレビジョン信号のＬ＋Ｒ信号部分と結合される場合に、基準値に従って前記所定の数値を維持するために前記ミキサに接続している同期回路と、
前記Ｌ−Ｒ信号およびＬ＋Ｒ信号を発生するために、前記テレビジョン信号の左のオーディオ入力信号と、右のオーディオ入力信号を受信するためのオーディオ・ブレークアウト・マトリックスと、
前記基準値および前記所定の数値で、前記Ｌ＋Ｒ信号を捕捉するために前記第二のアンプに接続している低域クランプ・フィルタと、
前記混合したＬ−Ｒ信号を前記Ｌ＋Ｒ信号に結合するために、前記低域クランプ・フィルタに接続しているアンプ回路とを備え、
前記オーディオ・ブレークアウト・マトリックスが、
前記Ｌ−Ｒ信号およびＬ＋Ｒ信号を発生するために、前記左のオーディオ入力信号と、前記右のオーディオ入力信号を受信するために接続している抵抗ネットワークと、
前記Ｌ−Ｒ信号の信号レベルを回復するために前記抵抗ネットワークの第一の出力に接続している第一のアンプと、
前記Ｌ＋Ｒ信号の信号レベルを回復するために前記抵抗ネットワークの第二の出力に接続している第二のアンプとを備え、
前記アンプ回路が、
前記合成出力信号を発生するために、前記Ｌ−Ｒ信号および前記Ｌ＋Ｒ信号とを結合するために前記低域クランプ・フィルタの出力と前記ミキサの出力とに接続している出力アンプと、
前記合成出力信号を調整するために前記出力アンプの出力に接続している可変利得アンプと、
負荷を軽減するために前記可変利得アンプの出力に接続しているバッファをとを備える装置。
【請求項９】
多重チャネル・テレビジョン・サウンド・プロトコルに従って、ステレオおよびサラウンド・サウンドを送信する方法であって、該方法が、
Ｌ−Ｒ信号を予め調整するステップと、
同期したＬ−Ｒ信号を発生するために、前記予め調整したＬ−Ｒ信号を基準値に同期させるステップと、
合成出力信号を発生するために前記同期させたＬ−Ｒ信号をＬ＋Ｒ信号と混合するステップとを含み、
前記予め調整するステップが、
前記Ｌ−Ｒ信号の高いレベルの周波数のエネルギーを増大するために、前記Ｌ−Ｒ信号をプリエンファシスするステップと、
信号対雑音比を低減するために、振幅圧縮により前記Ｌ−Ｒ信号を圧伸するステップと、
ノイズ・レベルを低減するために、前記圧伸されたＬ−Ｒ信号を濾過するステップと、
前記濾過したＬ−Ｒ信号を増幅するステップと、
前記濾過したＬ−Ｒ信号のピークピーク電圧の数値を所定のピークピーク値にクランプするステップと、
基準値でのパイロット信号との干渉を防止するために、前記基準値に対応する第一の周波数のところに、前記濾過したＬ−Ｒ信号を捕捉するステップと、
所定の数値での切り換えパイロット信号との干渉を防止するために、所定の数値に対応する第二の周波数のところに、前記濾過したＬ−Ｒ信号を捕捉するステップとを含む方法。
【請求項１０】
多重チャネル・テレビジョン・サウンド・プロトコルに従って、ステレオおよびサラウンド・サウンドを送信する方法であって、
Ｌ−Ｒ信号を予め調整するステップと、
同期したＬ−Ｒ信号を発生するために、前記予め調整したＬ−Ｒ信号を基準値に同期させるステップと、
合成出力信号を発生するために、前記同期させたＬ−Ｒ信号をＬ＋Ｒ信号と混合するステップと含み、
前記予め調整するステップが、
前記Ｌ−Ｒ信号の高いレベルの周波数のエネルギーを増大するために、前記Ｌ−Ｒ信号をプリエンファシスするステップと、
信号対雑音比を低減するために、振幅圧縮により前記Ｌ−Ｒ信号を圧伸するステップと、
ノイズ・レベルを低減するために、前記圧伸されたＬ−Ｒ信号を濾過するステップと、
前記濾過したＬ−Ｒ信号を増幅するステップと、
前記濾過したＬ−Ｒ信号のピークピーク電圧の数値を所定のピークピーク値にクランプするステップと、
前記基準値が１５．７３４ｋＨｚである場合に、基準値でのパイロット信号との干渉を防止するために、前記基準値に対応する第一の周波数のところに、前記濾過したＬ−Ｒ信号を捕捉するステップと、
前記所定の数値が、前記基準値の二倍である場合に、所定の数値での切り換えパイロット信号との干渉を防止するために、所定の数値に対応する第二の周波数のところで、前記濾過したＬ−Ｒ信号を捕捉するステップとを含む方法。
【請求項１１】
ノイズを含む媒体を通して、多重チャネル・テレビジョン・サウンド規格に従って、テレビジョン信号に含まれるモノラル、ステレオおよびサラウンド・サウンド情報を送るための装置であって、
Ｌ−Ｒ信号を予め調整するための手段と、
同期したＬ−Ｒ信号を発生するために、前記予め調整したＬ−Ｒ信号を基準値に同期させるための手段と、
合成出力信号を発生するために、前記同期させたＬ−Ｒ信号とＬ＋Ｒ信号とを混合するための手段とを備え、
前記予め調整するための手段が、
前記Ｌ−Ｒ信号の高いレベルの周波数のエネルギーを増大するために、前記Ｌ−Ｒ信号をプリエンファシスするための手段と、
信号対雑音比を低減するために、振幅圧縮により前記Ｌ−Ｒ信号を圧伸するための手段と、
ノイズ・レベルを低減するために、前記圧伸されたＬ−Ｒ信号を濾過するための手段と、
前記濾過したＬ−Ｒ信号を増幅するための手段と、
前記濾過したＬ−Ｒ信号のピークピーク電圧の数値を所定のピークピーク値にクランプするための手段と、
基準値でのパイロット信号との干渉を防止するために、前記基準値に対応する第一の周波数のところに、前記濾過したＬ−Ｒ信号を捕捉するための手段と、
所定の数値での切り換えパイロット信号との干渉を防止するために、所定の数値に対応する第二の周波数のところで、前記濾過したＬ−Ｒ信号を捕捉するための手段とを含む装置。
【請求項１２】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
Ｌ−Ｒ信号を予め調整するための手段と、
前記基準値が１５．７３４ｋＨｚである場合に、同期したＬ−Ｒ信号を発生するために、前記予め調整したＬ−Ｒ信号を基準値に同期させるための手段と、合成出力信号を発生するために、前記同期させたＬ−Ｒ信号とＬ＋Ｒ信号とを混合するための手段とを備え、
前記予め調整するための手段が、さらに、
前記Ｌ−Ｒ信号の高いレベルの周波数のエネルギーを増大するために、前記Ｌ−Ｒ信号をプリエンファシスするための手段と、
信号対雑音比を低減するために、振幅圧縮により前記Ｌ−Ｒ信号を圧伸するための手段と、
ノイズ・レベルを低減するために、前記圧伸されたＬ−Ｒ信号を濾過するための手段と、
前記濾過したＬ−Ｒ信号を増幅するための手段と、
前記濾過したＬ−Ｒ信号のピークピーク電圧の数値を所定のピークピーク値にクランプするための手段と、
基準値でのパイロット信号との干渉を防止するために、前記基準値に対応する第一の周波数のところに、前記濾過したＬ−Ｒ信号を捕捉するための手段と、
所定の数値での切り換えパイロット信号との干渉を防止するために、所定の数値に対応する第二の周波数のところで、前記濾過したＬ−Ｒ信号を捕捉するための手段とを含む装置。
【請求項１３】
ノイズを含む媒体を通して、多重チャネル・テレビジョン・サウンド規格に従って、テレビジョン信号に含まれるモノラル、ステレオおよびサラウンド・サウンド情報を送るための装置であって、該装置が、
Ｌ−Ｒ信号を予め調整するための手段と、
同期したＬ−Ｒ信号を発生するために、前記予め調整したＬ−Ｒ信号を基準値に同期させるための手段と、
合成出力信号を発生するために、前記同期させたＬ−Ｒ信号とＬ＋Ｒ信号とを混合するための手段とを備え、
前記予め調整するための手段が、さらに、
前記Ｌ−Ｒ信号の高いレベルの周波数のエネルギーを増大するために、前記Ｌ−Ｒ信号をプリエンファシスするための手段と、
信号対雑音比を低減するために、振幅圧縮により前記Ｌ−Ｒ信号を圧伸するための手段と、
ノイズ・レベルを低減するために、前記圧伸されたＬ−Ｒ信号を濾過するための手段と、
前記濾過したＬ−Ｒ信号を増幅するための手段と、
前記所定の数値が、前記基準値の二倍である場合に、前記濾過したＬ−Ｒ信号のピークピーク電圧の数値を所定のピークピーク値にクランプするための手段と、
基準値でのパイロット信号との干渉を防止するために、前記基準値に対応する第一の周波数のところで、前記濾過したＬ−Ｒ信号を捕捉するための手段と、
所定の数値での切り換えパイロット信号との干渉を防止するために、所定の数値に対応する第二の周波数のところで、前記濾過したＬ−Ｒ信号を捕捉するための手段とを含む装置。
【発明の詳細な説明】
発明の背景
本発明は、概して、信号処理に関し、特に同軸ケーブルのようなノイズを含む媒体を通してラウンド・サウンドを送信する方法に関する。
通常、変調器と呼ばれる、多重チャネル・テレビジョン・サウンド（ＭＴＳ）規格により音声を送るために現在使用することができる装置は、信号減衰およびノイズを含むために、サラウンド・サウンド情報を送信することはできない。ＭＴＳ規格によれば、左（Ｌ）チャネル信号と右チャネル信号の間の差を表わすＬ−Ｒ信号は、ステレオ情報およびサラウンド・サウンド情報を含む。サラウンド・サウンド情報は、ステレオ情報より高い周波数で送られる。Ｌ＋Ｒ信号であるモノラル信号は、ＭＴＳ規格により周波数変調搬送波として送られる。一方、Ｌ−Ｒ信号は、ＭＴＳ規格により、テレビジョンの水平走査周波数の二倍の周波数で、振幅変調（ＡＭ）抑圧搬送波として送られる。Ｌ−Ｒ信号を正確に受信し、検出するには、ＡＭ信号の減衰を最小限度に抑えなければならない。現在使用できる大部分の変調器は、もっと低い周波数で情報を正確に送信することができるが、より高い周波数のところに過度のロールオフ部分を持ち、このロールオフ部分によりサラウンド・サウンド情報の送信が妨害される。ｄＢ単位で測定した、より高い周波数でのロールオフ部分が、大きければ大きいほど、より高い周波数での信号の減衰が大きくなり、そのため、サラウンド・サウンド情報の減衰も大きくなる。周波数スペクトルのある点においては、ロールオフ部分は、サラウンド・サウンド情報をノイズから見分けることができないほど減衰が大きく、そのためサラウンド・サウンド情報が消えてしまう。従って、ステレオ情報だけが送信され、検出される。一方サラウンド・サウンド情報は喪失する。例えば、あるシステムは、８ｋＨｚのところに１５ｄＢのロールオフ部分を持つが、このことは信号強度の半分以上が減衰により喪失し、それによりＬ−Ｒ信号のより高い周波数で運ばれるサラウンド・サウンド情報が喪失することを意味する。
それ故、ノイズを含む媒体を通してサラウンド・サウンドを送信することができるようにするためには、より高い周波数において過度の減衰を起こさないで、Ｌ−Ｒ信号のステレオおよびサラウンド・サウンド情報を送信する装置が必要になる。
発明の概要
従って、本発明は、ノイズを含む媒体を通してサラウンド・サウンドを送信することができるようにするためには、より高い周波数において過度の減衰を起こさないで、Ｌ−Ｒ信号のステレオおよびサラウンド・サウンド情報を送信する装置を提供する。この目的のために、ノイズを含む媒体を通して多重チャネル・テレビジョン・サウンド規格により、テレビジョン信号に含まれるステレオおよびサラウンド・サウンド情報を送るための装置は、調整済みのＬ−Ｒ信号を発生する目的で、Ｌ−Ｒ信号をプリエンファシスし、圧伸するために、テレビジョン信号のＬ−Ｒ信号部分を受信するように接続している、サラウンド・サウンド調整装置と；振幅変調されたＬ−Ｒ信号を発生するために、所定の数値で、調整済みのＬ−Ｒ信号を切り換えるために、上記サラウンド・サウンド調整装置に接続しているミキサと；その内部で、合成出力信号を発生するために、混合されたＬ−Ｒ信号が、テレビジョン信号のＬ＋Ｒ信号部分と結合される基準値に従って上記所定の数値を維持するために、上記ミキサに接続している同期回路とを含む。さらに、多重チャネル・テレビジョン・サウンド・プロトコルにより、ステレオおよびサラウンド・サウンドを送信する方法は、Ｌ−Ｒ信号を予め調整するステップと；同期させたＬ−Ｒ信号を発生するために、予め調整したＬ−Ｒ信号を基準値に同期させるステップと；合成出力信号を発生するために、同期させたＬ−Ｒ信号とＬ＋Ｒ信号とを混合するステップとを含む。
本発明の一つの利点は、ノイズを含む媒体を通してサラウンド・サウンドを送ることができることである。
本発明の他の利点は、チャネル間に３０ｄＢ以上の分離があることである。本発明のさらに他の利点は、サラウンド・サウンドにより情報を送信する複数のチャネルを含むことができることである。
本発明のさらに他の利点は、サラウンド・サウンド情報をある受信機から次の受信機に送るために、数本のケーブルを必要としないことである。
【図面の簡単な説明】
図１は、本発明のいくつかの機能を実行するＭＴＳステレオおよびサラウンド・サウンド・エンコーダの簡単なブロック図である。
図２は、図１のエンコーダの第一の部分の簡単ではあるが、図１よりも詳細なブロック図である。
図３は、図１のエンコーダの第二の部分の簡単ではあるが、図１よりも詳細なブロック図である。
図４は、図１のエンコーダの第三の部分の簡単ではあるが、図１よりも詳細なブロック図である。
図５は、図１のエンコーダの信号対雑音比のグラフである。
図面の詳細な説明
図１は、左のオーディオ入力１２、右のオーディオ入力１４、ビデオ入力１６、出力１８、オーディオ・ブレークアウト・マトリックス（ＡＢＭ）２０、サラウンド・サウンド調節装置（ＳＳＣ）２２、ビデオ・ストリッパ・マトリックス（ＶＳＭ）２４、Ｌ＋Ｒ低域クランプ・フィルタ２５、ミキサ２６、アンプ回路２８、およびタイミング回路２９を有する全体を参照番号１０で示す、多重チャネル・テレビジョン・サウンド（ＭＴＳ）ステレオおよびサラウンド・サウンド・エンコーダの簡単なブロック図である。上記エンコーダ１０は、二つのパイロット信号周波数を使用する。ＶＳＭ２４の出力は、以下に説明する上記二つのパイロット信号周波数を発生するために、上記タイミング回路２９に接続している。一方のパイロット信号は１５．７３４ｋＨｚで、エンコーダ１０を同期するためのテレビジョンの水平方向走査速度である。第二のパイロット信号は３１．４６８ｋＨｚで、テレビジョンの水平方向走査速度の二倍の周波数で、Ｌ−Ｒ信号情報の伝送を同期するためのものである。
図２は、ＡＢＭ２０のより詳細な図面である。ＡＢＭ２０は、左の入力信号および右の入力信号を、それぞれ、左のオーディオ入力１２および右オーディオ入力１４で受信する。上記入力信号は、抵抗ネットワーク３０によりマトリックスされる。抵抗マトリックス３０は、複数の抵抗を持ち、各抵抗は約１００キロオームの数値を持ち、ステレオ情報およびサラウンド・サウンド情報（以下「Ｌ−Ｒ信号」と総称する。）、およびＬ＋Ｒ信号と呼ぶモノラル信号を発生する。抵抗ネットワーク３０に高い抵抗を使用すると、信号が減衰する。それ故、それぞれ、参照番号３２および３４で示す、Ｌ−Ｒ信号およびＬ＋Ｒ信号用のオーディオ・アンプが、上記信号のレベルを正常なレベルに戻す。抵抗３６および３８は、信号の必要な増幅を行うために、アンプ３２および３４の関連で選択される。Ｌ＋Ｒ信号は、Ｌ＋Ｒ低域クランプ・フィルタ２５およびアンプ回路２８を通して出力１８に送られる。Ｌ＋Ｒ低域クランプ・フィルタ２５は、１５．７３４および３１．４６８ｋＨｚで動作しているパイロット信号との干渉を避けるために、１５．７３４ｋＨｚおよび３１．４６８ｋＨｚに上記信号をクランプする低域フィルタ（ＬＰＦ）である。ＡＢＭ２０のＬ−Ｒ信号出力はＳＳＣ２２に送信される。
図３に示すように、ＳＳＣ２２は、プリエンファシス装置３９、ドルビー・ノイズ低減（ｄｂｘ）圧伸装置４０、低域（ＬＰ）フィルタ・ネットワーク４２、再生アンプ４４、Ｌ−Ｒクランプ・フィルタ４６、およびダイオード回路４８を含む。Ｌ−Ｒ信号は、ＳＳＣ２２により受信される。プリエンファシス装置３９は３９６マイクロ秒で動作する。プリエンファシス装置３９は、ｄｂｘ圧伸装置４０のためにＬ−Ｒ信号を調整する。動作中、プリエンファシス装置３９は、Ｌ−Ｒ信号のより高い周波数に、Ｌ−Ｒ信号のより低い周波数と同じ電力を供給する。高い方の周波数の電力は増大する必要がある。何故なら、低い方の周波数は、ドップラー効果によりはるかに容易に伝播することができるからである。それ故、Ｌ−Ｒ信号の高い方の周波数に含まれるサラウンド・サウンド情報は、もっと高い電力を持つにいたる。プリエンファシスされた信号は、その後、ｄｂｘ圧伸装置４０に送られる。ｄｂｘ圧伸装置４０は、Ｌ−Ｒ信号の振幅をＭＴＳ規格に従って圧縮する。この振幅圧縮は、信号対雑音比（ＳＮ／Ｒ）を改善するために使用される。振幅圧縮は、Ｌ−Ｒクランプ・フィルタ４６の出力を、トランジスタ・バッファ段５４（図４）および定電流回路５０を通して、ｄｂｘ圧伸装置４０に送ることによって行われる。定電流回路５０は、Ｌ−Ｒ信号の振幅を制御するｄｂｘ圧伸装置４０の自乗平均根（ＲＭＳ）段である。
圧伸装置４０の出力Ｌ−Ｒ信号は、ＬＰフィルタ・ネットワーク４２を通る。ＬＰフィルタ・ネットワーク４２は、濾過Ｌ−Ｒ信号を発生するために、必要なノイズを濾過する。ＬＰフィルタ・ネットワーク４２は、濾過Ｌ−Ｒ信号が若干減衰するように、濾過プロセス中に元のＬ−Ｒ信号を減衰させる。それ故、濾過Ｌ−Ｒ信号は、アンプ４４を通る。アンプ４４は、濾過Ｌ−Ｒ信号を適当な信号レベルに戻す。
この時点で、パイロット信号との干渉を防止するために、濾過Ｌ−Ｒ信号は、１５．７３４ｋＨｚおよび３１．４６８ｋＨｚにクランプしなければならない。Ｌ−Ｒクランプ・フィルタ４６は、上記信号を１５．７３４ｋＨｚおよび３１．４６８ｋＨｚにクランプするために使用される。Ｌ−Ｒクランプ・フィルタ４６は、１５．７３４ｋＨｚおよび３１．４６８ｋＨｚのところで、約４５ｄＢのロールオフを発生するために信号を捕捉する。Ｌ−Ｒクランプ・フィルタ４６は、アースを行い、１５．７３４ｋＨｚのパイロット信号がヒットするのを防止するために、１５．７３４ｋＨｚのところでＬ−Ｒ信号を捕捉する。同様に、Ｌ−Ｒクランプ・フィルタ４６は、きれいなステレオ／サラウンド・サウンド出力を供給するため、アースさせるために、３１．４６８ｋＨｚのところで、Ｌ−Ｒ信号に含まれるすべての切り換え信号を捕捉する。それ故、情報信号のレベルは、最低限度まで低減され、パイロット信号と干渉を起こさないし、またはパイロット信号がヒットすることができるようにする。濾過Ｌ−Ｒ信号を１５．７３４ｋＨｚおよび３１．４６８ｋＨｚのところにクランプする他に、濾過Ｌ−Ｒ信号のスパイクも除去しなければならない。ダイオード回路４８は、ピーク電圧を減じることにより電圧スパイクを除去し、それによりピークピーク（Ｐ−Ｐ）電圧は１．４ボルト以上にならない。ダイオード回路４８は、濾過Ｌ−Ｒ信号を取り入れ、均したＬ−Ｒ信号を発生する。均したＬ−Ｒ信号は、二つの周波数１５．７３４ｋＨｚおよび３１．４６８ｋＨｚのところで、クランプオフされた周波数を持つ。
図４は、ＶＳＭ２４、Ｌ＋Ｒ低域クランプ・フィルタ２５、ミキサ２６、アンプ回路２８、タイミング回路２９、およびトランジスタ・バッファ段５４を示す。すでに説明したとおり、Ｌ−Ｒクランプ・フィルタ４６の出力は、トランジスタ・バッファ段５４に送られる。トランジスタ・バッファ段５４の出力は、バランス変調器５６に送られる。バランス変調器５６は、低減搬送波振幅変調（ＡＭ）Ｌ−Ｒ信号として、３１．４６８ｋＨｚのところでの切り換え速度で、パイロット信号の周囲に、上の側波帯および下の側波帯を発生するために、均されたＬ−Ｒ信号を変調する。バランス変調器５６に対する３１．４６８ｋＨｚの切り換え速度は、以下に説明するように、タイミング回路２９により発生する。結合アンプ５８は、混合Ｌ−Ｒ信号を発生するために、１５．７３４ｋＨｚのところで、バランス変調器５６の振幅変調された左右信号をパイロット信号と混合する。１５．７３４ｋＨｚのパイロット信号のタイミングは、変調器タイミング回路５９により発生する。変調器タイミング回路５９は、同期回路が発生するテレビジョンの１５．７３４ｋＨｚの速度に同期する。
同期回路は、３１．７６８ｋＨｚの同期速度を１５．７３４ｋＨｚのパイロット信号に同期させる。同期回路は、ＶＳＭ２４およびタイミング回路２９からなる。ＶＳＭ２４は、発光ビデオ・パターン信号を発生するために、ビデオ信号からカラー情報およびクロマ情報を除去する。発光ビデオ・パターン信号は、エンコーダ１０（図１）を、テレビジョンの１５．７３４ｋＨｚの水平方向走査速度のところだけで継続的に同期させるために使用される。発光ビデオ・パターン信号は同期分離装置６２に送られる。同期分離装置６２は、きれいな水平同期信号を発生するために、１５．７３４ｋＨｚの水平方向走査速度だけをチェックする。同期信号は、ＪＫフリップフロップ６４に送られる。ＪＫフリップフロップ６４は、３１．４６８ｋＨｚの切り換え速度で、移送ロック・ループ（ＰＬＬ）６６を駆動する「のこぎり波」状の信号パターンを発生する。ＰＬＬ６６は、バランス変調器５６に３１．４６８ｋＨｚの切り換え速度を供給する。また、ＪＫフリップフロップ６５は、変調器タイミング回路５９に対して１５．７３４ｋＨｚのタイミングを供給する。それ故、タイミング回路２９は、１５．７３４ｋＨｚでパイロット信号を、３１．４６８ｋＨｚのところで、パイロット信号と継続的に同期させる同期信号を発生する。従って、バランス変調器５６は、テレビジョンの水平方向速度に従って、ＡＭ Ｌ−Ｒ信号を発生するために、１５．７３４ｋＨｚのところでパイロット振幅に従って、３１．４６８ｋＨｚの切り換え速度で切り換えられる。
結合アンプ５８の混合Ｌ−Ｒ信号出力は、コンデンサ６０を通してアンプ回路２８に送られる。出力アンプ６７は、混合Ｌ−Ｒ信号およびＬ＋Ｒ信号を受信する。出力アンプ６７は、増幅出力振幅を発生するために、混合Ｌ−Ｒ信号およびＬ＋Ｒ信号を増幅する。増幅出力信号は、合成出力信号を発生するために、可変利得増幅器６８に送られる。合成出力信号は、負荷を軽減するバッファ段７０を通して出力１８に送られる。
動作中、図５に示すように、エンコーダ１０は、高い方の周波数における過度の減衰またはロールオフを防止する。グラフの垂直軸は、ｄＢ単位の信号の減衰を示し、水平軸は、Ｈｚ単位の周波数を表わす。曲線１００は、ある周波数範囲の右のチャネルの出力信号強度を示す。各１２ｋＨｚのところの減衰は約３ｄＢである。同様に、曲線１０２はある周波数範囲の右チャネルの出力信号強度を表す。この図に示すように、約１２ｋＨｚのところの減衰は約３ｄＢである。
また、曲線１００および１０２は、上記周波数範囲内で、ゼロｄＢで、必要な平坦な特性を持つ。さらに、１５．７３４ｋＨｚのところでのパイロット信号との干渉を防止するために、出力信号強度は急速に低減している。
例示としてのいくつかの実施形態を図示し、説明してきたが、上記説明を読めば、広範囲の修正、変更および置換えを思いつくだろうし、ある場合には、他の機能を対応して使用しくても、上記実施形態のいくつかの機能を使用することができる。従って、添付の請求の範囲を広義に、また本明細書に記載した実施形態の範囲と一致するように解釈すべきである。
【図１】
0003852018.tif 000002
【図２】
0003852018.tif 000003
【図３】
0003852018.tif 000004
【図４】
0003852018.tif 000005
【図５】
0003852018.tif 000006